(57)【特許請求の範囲】
【請求項１】
表面および裏面を有する本体部と、
前記本体部に設けられた係合部とを備え、
前記本体部の前記表面は、ネズミを捕獲可能な粘着部を有する台紙を搭載可能に構成されており、
前記係合部は、前記台紙が前記本体部の前記表面に平行な方向に動かないように前記台紙を固定可能に構成されており、
前記係合部は、突起部と固定部とを含み、
前記固定部は、前記本体部の前記裏面に接しており、前記突起部が前記本体部から抜け落ちないように前記突起部を固定している、粘着式ネズミ捕りホルダー。
【請求項２】
前記係合部は、前記台紙を前記本体部の前記表面に対して交差する方向に着脱自在に保持可能である、請求項１に記載の粘着式ネズミ捕りホルダー。
【請求項３】
前記係合部は、前記本体部の前記表面に対して交差する方向に伸長する突起部を含む、請求項１または２に記載の粘着式ネズミ捕りホルダー。
【請求項４】
前記本体部の前記裏面には、滑り止め部が形成されている、請求項１〜３のいずれか１項に記載の粘着式ネズミ捕りホルダー。
【請求項５】
前記本体部は、前記表面の第１の一方端部領域および第１の他方端部領域が対向するように前記本体部を折畳み可能な折畳み部を含む、請求項１〜４のいずれか１項に記載の粘着式ネズミ捕りホルダー。
【請求項６】
前記折畳み部は、前記本体部の前記裏面に形成された切り込み部である、請求項５に記載の粘着式ネズミ捕りホルダー。
【請求項７】
前記本体部は、第１の本体部と、前記第１の本体部に隣り合う第２の本体部とを含み、
前記第１の本体部の前記裏面および前記第２の本体部の前記裏面に接し、かつ前記第１の本体部と前記第２の本体部とを繋ぐ接続部をさらに備えた、請求項１〜６のいずれか１項に記載の粘着式ネズミ捕りホルダー。
【請求項８】
前記第１の本体部の前記裏面および前記第２の本体部の前記裏面の各々は、第２の一方端部領域および第２の他方端部領域を含み、
前記接続部は、前記第１の本体部の前記裏面の前記第２の一方端部領域と、前記第２の本体部の前記裏面の前記第２の一方端部領域とに接している、請求項７に記載の粘着式ネズミ捕りホルダー。
【請求項９】
前記接続部は、粘着テープを含む、請求項７または８に記載の粘着式ネズミ捕りホルダー。
【請求項１０】
前記本体部は、第１の本体部と、前記第１の本体部と隣り合う第２の本体部と、前記第２の本体部と隣り合う第３の本体部と、前記第３の本体部と隣り合う第４の本体部とを含み、
前記第１の本体部の前記裏面および前記第２の本体部の前記裏面に接し、かつ前記第１の本体部と前記第２の本体部とを繋ぐ第１の接続部と、
前記第２の本体部の前記裏面および前記第３の本体部の前記裏面に接し、かつ前記第２の本体部と前記第３の本体部とを繋ぐ第２の接続部と、
前記第３の本体部の前記裏面および前記第４の本体部の前記裏面に接し、かつ前記第３の本体部と前記第４の本体部とを繋ぐ第３の接続部とをさらに備えた、請求項１〜６のいずれか１項に記載の粘着式ネズミ捕りホルダー。
【請求項１１】
前記第１の本体部の前記裏面、前記第２の本体部の前記裏面、前記第３の本体部の前記裏面および前記第４の本体部の前記裏面の各々は、第２の一方端部領域および第２の他方端部領域を含み、
前記第１の接続部は、前記第１の本体部の前記裏面の前記第２の一方端部領域と、前記第２の本体部の前記裏面の前記第２の一方端部領域とに接しており、
前記第２の接続部は、前記第２の本体部の前記裏面の前記第２の他方端部領域と、前記第３の本体部の前記裏面の前記第２の他方端部領域とに接しており、
前記第３の接続部は、前記第３の本体部の前記裏面の前記第２の一方端部領域と、前記第４の本体部の前記裏面の前記第２の一方端部領域とに接しており、請求項１０に記載の粘着式ネズミ捕りホルダー。
【請求項１２】
前記第１の接続部、前記第２の接続部および前記第３の接続部の各々は、粘着テープを含む、請求項１０または１１に記載の粘着式ネズミ捕りホルダー。
【請求項１３】
請求項１〜１２のいずれか１項に記載の前記粘着式ネズミ捕りホルダーと、
前記本体部の前記表面側に搭載され、かつネズミを捕獲可能な前記粘着部を有する前記台紙とを備えた、粘着式ネズミ捕り器。
【発明の詳細な説明】
【技術分野】
【０００１】
本発明は、粘着式ネズミ捕りホルダーおよび粘着式ネズミ捕りホルダーを備えた粘着式ネズミ捕り器に関し、特に、本体部および係合部を有する粘着式ネズミ捕りホルダーおよび粘着式ネズミ捕りホルダーを備えた粘着式ネズミ捕り器に関する。
【背景技術】
【０００２】
従来、ネズミ捕り器として、台紙上に粘着剤を設けた粘着式ネズミ捕り器が知られている。たとえば、特開２００８−５４６１６号公報（特許文献１）には、可撓性を有し、上面に粘着剤を塗布してなるシートと、同シートを平坦に固定でき、かつこの固定を容易に解除できる固定手段を備えてなる台紙とで構成される粘着式ネズミ捕りが記載されている。これにより、ネズミの足裏に水や油等が付着している場合でも、確実にネズミを捕獲できるとされている。
【先行技術文献】
【特許文献】
【０００３】
【特許文献１】特開２００８−５４６１６号公報
【発明の概要】
【発明が解決しようとする課題】
【０００４】
しかしながら、特開２００８−５４６１６号公報に記載のネズミ捕り器は、台紙にセットしたシート上に進入してきたネズミの体に粘着剤が付着すると、シート内方に進行するネズミの動きにより、シートの固定を容易に解除できる台紙の固定手段からシートが外れるように構成されている。そのため、ネズミの体に粘着剤が付着した後にネズミが逃げようとすると、ネズミが粘着シートを引きずって逃走するおそれがあり、ネズミの捕獲性能が十分ではなかった。
【０００５】
本発明は、上記課題に鑑みてなされたものであり、その目的は、ネズミの捕獲性能を向上可能な粘着式ネズミ捕りホルダーおよび粘着式ネズミ捕りホルダーを備えた粘着式ネズミ捕り器を提供することである。
【課題を解決するための手段】
【０００６】
本発明に係る粘着式ネズミ捕りホルダーは、本体部と係合部とを備える。本体部は、表面および裏面を有する。係合部は、本体部に設けられている。本体部の表面は、ネズミを捕獲可能な粘着部を有する台紙を搭載可能に構成されている。係合部は、台紙が本体部の表面に平行な方向に動かないように台紙を固定可能に構成されている。係合部は、突起部と固定部とを含む。固定部は、本体部の裏面に接しており、突起部が本体部から抜け落ちないように突起部を固定している。
【０００７】
上記に係る粘着式ネズミ捕りホルダーにおいて好ましくは、係合部は、台紙を本体部の表面に対して交差する方向に着脱自在に保持可能である。
【０００８】
上記に係る粘着式ネズミ捕りホルダーにおいて好ましくは、係合部は、本体部の表面に対して交差する方向に伸長する突起部を含む。
【０００９】
上記に係る粘着式ネズミ捕りホルダーにおいて好ましくは、本体部の裏面には、滑り止め部が形成されている。
【００１０】
上記に係る粘着式ネズミ捕りホルダーにおいて好ましくは、本体部は、表面の第１の一方端部領域および第１の他方端部領域が対向するように本体部を折畳み可能な折畳み部を有している。
【００１１】
上記に係る粘着式ネズミ捕りホルダーにおいて好ましくは、折畳み部は、本体部の裏面に形成された切り込み部である。
【００１２】
上記に係る粘着式ネズミ捕りホルダーにおいて好ましくは、本体部は、第１の本体部と、第１の本体部に隣り合う第２の本体部とを含む。第１の本体部の裏面および第２の本体部の裏面に接し、かつ第１の本体部と第２の本体部とを繋ぐ固定部をさらに備える。
【００１３】
上記に係る粘着式ネズミ捕りホルダーにおいて好ましくは、第１の本体部の裏面および第２の本体部の裏面の各々は、第２の一方端部領域および第２の他方端部領域を含む。固定部は、第１の本体部の裏面の第２の一方端部領域と、第２の本体部の裏面の第２の一方端部領域とに接している。
【００１４】
上記に係る粘着式ネズミ捕りホルダーにおいて好ましくは、固定部は、粘着テープを含む。
【００１５】
上記に係る粘着式ネズミ捕りホルダーにおいて好ましくは、本体部は、第１の本体部と、第１の本体部と隣り合う第２の本体部と、第２の本体部と隣り合う第３の本体部と、第３の本体部と隣り合う第４の本体部とを含む。第１の本体部の裏面および第２の本体部の裏面に接し、かつ第１の本体部と第２の本体部とを繋ぐ第１の固定部と、第２の本体部の裏面および第３の本体部の裏面に接し、かつ第２の本体部と第３の本体部とを繋ぐ第２の固定部と、第３の本体部の裏面および第４の本体部の裏面に接し、かつ第３の本体部と第４の本体部とを繋ぐ第３の固定部とをさらに備える。
【００１６】
上記に係る粘着式ネズミ捕りホルダーにおいて好ましくは、第１の本体部の裏面、第２の本体部の裏面、第３の本体部の裏面および第４の本体部の裏面の各々は、第２の一方端部領域および第２の他方端部領域を含む。第１の固定部は、第１の本体部の裏面の第２の一方端部領域と、第２の本体部の裏面の第２の一方端部領域とに接しており、第２の固定部は、第２の本体部の裏面の第２の他方端部領域と、第３の本体部の裏面の第２の他方端部領域とに接しており、第３の固定部は、第３の本体部の裏面の第２の一方端部領域と、第４の本体部の裏面の第２の一方端部領域とに接している。
【００１７】
上記に係る粘着式ネズミ捕りホルダーにおいて好ましくは、第１の固定部、第２の固定部および第３の固定部の各々は、粘着テープを含む。
【００１８】
本発明に係る粘着式ネズミ捕り器は、上記のいずれかに記載の粘着式ネズミ捕りホルダーと、台紙とを備える。台紙は、本体部の表面側に搭載され、かつネズミを捕獲可能な粘着部を有する。
【発明の効果】
【００１９】
本発明によれば、ネズミの捕獲性能を向上可能な粘着式ネズミ捕りホルダーおよび粘着式ネズミ捕りホルダーを備えた粘着式ネズミ捕り器を提供することができる。
【図面の簡単な説明】
【００２０】
【図１】本発明の実施の形態１に係る粘着式ネズミ捕りホルダーの構造を概略的に説明するための斜視模式図である。
【図２】本発明の実施の形態１に係る粘着式ネズミ捕りホルダーの表面の構造を概略的に説明するための平面模式図である。
【図３】本発明の実施の形態１に係る粘着式ネズミ捕りホルダーの裏面の構造を概略的に説明するための平面模式図である。
【図４】本発明の実施の形態１に係る粘着式ネズミ捕りホルダーの構造を概略的に説明するための断面模式図である。
【図５】本発明の実施の形態１に係る粘着式ネズミ捕りホルダーを折り畳んだ状態を概略的に説明するための一部破断斜視模式図である。
【図６】本発明の実施の形態１に係る粘着式ネズミ捕りホルダーの使用状態の例を概略的に説明するための斜視模式図である。
【図７】本発明の実施の形態２に係る粘着式ネズミ捕り器の構造を概略的に説明するための斜視模式図である。
【図８】本発明の実施の形態２に係る粘着式ネズミ捕り器の構造を概略的に説明するための断面模式図である。
【図９】本発明の実施の形態２に係る粘着式ネズミ捕り器の使用状態の例を概略的に説明するための斜視模式図である。
【図１０】本発明の実施の形態３に係る粘着式ネズミ捕りホルダーの表面の構造を概略的に説明するための平面模式図である。
【図１１】本発明の実施の形態３に係る粘着式ネズミ捕りホルダーの裏面の構造を概略的に説明するための平面模式図である。
【図１２】本発明の実施の形態３に係る粘着式ネズミ捕りホルダーを折り畳む途中の状態を概略的に説明するための平面模式図である。
【図１３】本発明の実施の形態３に係る粘着式ネズミ捕りホルダーを折り畳んだ状態を概略的に説明するための斜視模式図である。
【図１４】本発明の実施の形態４に係る粘着式ネズミ捕り器の構造を概略的に説明するための斜視模式図である。
【図１５】本発明の実施の形態４に係る粘着式ネズミ捕り器の使用状態の例を概略的に説明するための斜視模式図である。
【図１６】本発明の実施の形態５に係る粘着式ネズミ捕りホルダーの表面の構造を概略的に説明するための平面模式図である。
【図１７】本発明の実施の形態５に係る粘着式ネズミ捕りホルダーの裏面の構造を概略的に説明するための平面模式図である。
【図１８】本発明の実施の形態５に係る粘着式ネズミ捕りホルダーを折り畳む途中の状態を概略的に説明するための平面模式図である。
【図１９】本発明の実施の形態５に係る粘着式ネズミ捕りホルダーを折り畳む途中の状態を概略的に説明するための平面模式図である。
【図２０】本発明の実施の形態５に係る粘着式ネズミ捕りホルダーを折り畳んだ状態を概略的に説明するための斜視模式図である。
【図２１】本発明の実施の形態６に係る粘着式ネズミ捕り器の構造を概略的に説明するための斜視模式図である。
【図２２】本発明の実施の形態６に係る粘着式ネズミ捕り器の使用状態の例を概略的に説明するための斜視模式図である。
【図２３】本発明の実施の形態２に係る粘着式ネズミ捕り器の構造の変形例を概略的に説明するための断面模式図である。
【図２４】本発明の実施の形態２に係る粘着式ネズミ捕り器の構造の変形例を概略的に説明するための断面模式図である。
【発明を実施するための形態】
【００２１】
以下、図面に基づいて本発明の実施の形態について説明する。なお、以下の図面において同一または相当する部分には同一の参照番号を付しその説明は繰返さない。
【００２２】
（実施の形態１）
図１〜６を参照して、本発明の実施の形態１に係る粘着式ネズミ捕りホルダーの構造について説明する。
【００２３】
まず図１、図２および図３を参照して、実施の形態１に係る粘着式ネズミ捕りホルダー１は、本体部２と、係合部４とを主に有している。本体部２は平板状であり、表面２ａと、表面２ａの反対側の裏面２ｂとを有する。本体部２の表面２ａは、後述するネズミを捕獲可能な粘着部５２（図７参照）を有する台紙５１（図７参照）を搭載可能に構成されている。本体部２の表面２ａおよび裏面２ｂの各々は、長手方向ｘおよび短手方向ｙに沿って延在して形成されている。本体部２の表面２ａの長手方向ｘの長さはたとえば３６ｃｍであり、短手方向ｙの長さはたとえば２３ｃｍである。本体部２の４つの角部付近の各々には、表面２ａと裏面２ｂとの双方に開口する貫通孔２ｈが形成されている。本体部２の表面２ａの長手方向ｘにおける中央付近にはテープ５が設けられている。本体部２の表面２ａは、長手方向ｘにおける第１の一方端部領域２ａ７および第１の他方端部領域２ａ８を含む。本体部２は、たとえばプラスチックからなり、好ましくはポリオレフィンを含む。本体部２がポリオレフィンから構成されている場合、本体部２のリサイクルが容易となる。本体部２はこれに限られず、たとえばダンボール紙やその他所定厚みで平板状を保持するものであれば特に限定されない。
【００２４】
図４を参照して、係合部４は、たとえばプラスチックからなり本体部２に設けられている。係合部４は、台紙が本体部２の表面２ａに平行な方向に動かないように台紙を固定可能に構成されている。具体的には、図４に示すように、係合部４は、突起部４ａと、固定部４ｂとを含む。突起部４ａは、本体部２の表面２ａに対して交差する方向に伸長するように形成されており、好ましくは表面２ａの法線方向に沿って伸長するように形成されている。突起部４ａは、本体部２に設けられた貫通孔２ｈを貫通するように配置されている。突起部４ａは貫通孔２ｈに嵌合されて固定されている。突起部４ａは固定部４ｂにより固定されている。固定部４ｂは本体部２の裏面２ｂと接しており、突起部４ａが本体部２から抜け落ちないように突起部４ａを固定している。係合部４は、台紙を本体部２の表面２ａに対して交差する方向に着脱自在に保持可能に構成されている。
【００２５】
図３を参照して、本体部２の裏面２ｂには滑り止め部６が形成されている。滑り止め部６は、たとえば裏面２ｂに開口するように形成された凹部である。凹部の開口部はたとえば円状であり、凹部は球面状であってもよい。凹部の開口部の直径はたとえば６ｍｍであり、好ましくは２ｍｍ以上１０ｍｍ以下である、より好ましくは４ｍｍ以上８ｍｍ以下である。滑り止め部６は凹部に限定されず、たとえば凸部もしくは皺などであってもよい。
【００２６】
本体部２の裏面２ｂには、長手方向ｘに沿って延在するように２本の切り込み部３ａ、３ｂが形成されている。当該２本の切り込み部３ａ、３ｂによって裏面２ｂがおよそ３等分されるように２本の切り込み部３ａ、３ｂが形成されている。また裏面２ｂの長手方向ｘの中央付近には、短手方向ｙに沿って延在するように２本の切り込み部３ｃ、３ｄが形成されている。切り込み部３ｃと切り込み部３ｄとの長手方向ｘに沿った距離は、粘着部５２を有する台紙５１を本体部２の表面２ａに搭載した状態で本体部２を折り畳んだ際ｓに、対向する粘着部５２の部分同士が互いに接しない程度の距離であることが好ましい。つまり、切り込み部３ｃと切り込み部３ｄとの長手方向ｘに沿った距離は、台紙５１の厚みと粘着部５２の厚みの合計の２倍以上であることが好ましい。なお、上記切り込み部３ａ〜３ｄは、本体部２の裏面２ｂに設けられているが、本体部２の表面２ａには形成されていない。
【００２７】
再び図１および図２を参照して、裏面２ｂに形成された切り込み部３ａ〜３ｄに対向する表面２ａの位置を破線で示している。本体部２の４つの角の中で、長手方向ｘの一方端部領域２ａ７における２つの角部は湾曲状を有している。一方、長手方向ｘの第１の他方端部領域２ａ８における２つの角部の角は切り落とされている。本体部２の表面２ａにおける長手方向ｘの一方端部領域２ａ７は、短手方向ｙの一方端部領域２ａ１および他方端部領域２ａ３と、一方端部領域２ａ１と他方端部領域２ａ３に挟まれた中央領域２ａ２とを有している。また長手方向ｘの第１の他方端部領域２ａ８は、短手方向ｙの一方端部領域２ａ４および他方端部領域２ａ６と、一方端部領域２ａ４と他方端部領域２ａ６とに挟まれた中央領域２ａ５とを有している。
【００２８】
図３を参照して、本体部２の裏面２ｂにおける長手方向ｘの第２の他方端部領域２ｂ７は、短手方向ｙの一方端部領域２ｂ１および他方端部領域２ｂ３と、一方端部領域２ｂ１と他方端部領域２ｂ３に挟まれた中央領域２ｂ２とを有している。また長手方向ｘの第２の一方端部領域２ｂ８は、短手方向ｙの一方端部領域２ｂ４および他方端部領域２ｂ６と、一方端部領域２ｂ４と他方端部領域２ｂ６とに挟まれた中央領域２ｂ５とを有している。
【００２９】
図５を参照して、本体部２は、長手方向ｘにおける表面２ａの第１の一方端部領域２ａ７および第１の他方端部領域２ａ８が対向するように本体部２を折畳み可能に構成されている。具体的には、本体部２は、表面２ａの第１の一方端部領域２ａ７および第１の他方端部領域２ａ８が対向するように本体部２を折畳み可能な折畳み部３を有している。折畳み部３は、たとえば本体部２の裏面２ｂに形成された切り込み部３ｃ、３ｄであってもよい。本体部２は、切り込み部３ｃ、３ｄを折り目として、表面２ａの第１の一方端部領域２ａ７および第１の他方端部領域２ａ８が対向するように本体部２が折畳み可能に構成されていてもよい。本体部２が折り畳まれた場合に、第１の一方端部領域２ａ７に形成された円柱状の突起部４ａの側面が、第１の他方端部領域２ａ８に形成された円柱状の突起部４ａの側面と接するように形成されていてもよい。なお、折畳み部３は切り込み部に限定されず、たとえばプレス加工で形成された溝部、ミシン目、ヒンジなどであってもよい。
【００３０】
図６を参照して、本体部２は、短手方向ｙにおける表面２ａの一方端部領域２ａ１、２ａ４および他方端部領域２ａ３、２ａ６が対向するように本体部２を折畳み可能に構成されている。また本体部２は、切り込み部３ａ、３ｂを折り目として、表面２ａの一方端部領域２ａ１、２ａ４および他方端部領域２ａ３、２ａ６が対向するように本体部２が折畳み可能に構成されていてもよい。
【００３１】
なお、係合部４は、台紙が本体部２の表面２ａに平行な方向に動かないように台紙を固定可能に構成されていればよく、突起部に限定されない。図２３を参照して、係合部４は、たとえばクリップであってもよい。図２３に示すように、クリップ４が本体部２の裏面２ｂおよび台紙５１の表面に接して、本体部２および台紙５１を挟み込み、台紙５１が本体部２の表面２ａに平行な方向に移動しないように固定されていてもよい。また図２４を参照して、係合部４は面ファスナーの一方側であってもよい。面ファスナーはフック面とループ面から構成され、フック面が設けられている部材と、ループ面が設けられている部材とが、フック面およびループ面の各々に平行な方向に相対的に移動しないように固定され、フック面およびループ面の各々に垂直な方向に着脱可能に構成されている。図２４に示すように、本体部２の表面２ａにフック面４が取り付けられ、かつ台紙５１の裏面にループ面１４が取り付けられていてもよい。台紙５１のループ面１４が本体部のフック面４により固定されることで、台紙５１が本体部２の表面２ａに平行な方向に移動しないように台紙５１を固定することができる。また台紙５１を本体部２から本体部２の表面２ａに垂直な方向に着脱することができる。
【００３２】
（実施の形態２）
図７〜図９を参照して、本発明の実施の形態２に係る粘着式ネズミ捕り器の構造について説明する。
【００３３】
図７を参照して、実施の形態２に係る粘着式ネズミ捕り器１０は、粘着式ネズミ捕りホルダー１と、台紙５１と、粘着部５２と、スペーサ―５３とを主に有している。粘着式ネズミ捕りホルダー１は、実施の形態１で説明した粘着式ネズミ捕りホルダー１であり、主に本体部２と、係合部４とを有している。台紙５１はたとえば段ボール紙からなる。平面視（表面２ａに対して垂直な方向から見た視野）において、台紙５１の面積は、本体部２の表面２ａの面積よりも小さい。本体部２の表面２ａの長手方向の長さはたとえば３６ｃｍであり、短手方向の長さはたとえば２３ｃｍである。台紙５１の表面の長手方向の長さはたとえば３５ｃｍであり、短手方向の長さはたとえば２２ｃｍである。台紙５１の重さはたとえば５０ｇである。台紙５１の４つの角部には貫通孔５１ｈが形成されている。台紙５１は、本体部２の表面２ａ側に搭載されており、かつネズミを捕獲可能な粘着部５２を有する。粘着部５２は、台紙５１の表面の中央付近に長手方向ｘおよび短手方向ｙに延在するように配置されている。スペーサ―５３は、粘着部５２の表面にたとえば２つ配置されている。スペーサ５３は、本体部２および台紙５１を折り畳んだ際に、対向する粘着部５２の部分同士が接しないように形成されている。
【００３４】
好ましくは、本体部２は、粘着部が塗布された台紙よりも、剛性および耐久性が高く、防水性、撥水性に優れている。本体部２の剛性が高いことにより、台紙が搭載された本体部２を、人間の手が届きづらい厨房機器の下の奥や屋根裏の奥にまで入れることが容易となる。また本体部２の防水性および撥水性が高いことにより、水分の多い厨房機器の下にネズミ捕りを設置することが可能となる。さらに本体部２の耐久性が高いことにより、本体部２を繰り返し折り曲げた場合においても、本体部２が破損することを抑制することができる。
【００３５】
図８を参照して、台紙５１の裏面は、本体部２の表面２ａと接するように台紙５１が本体部２の表面２ａに搭載されていてもよいし、本体部２の表面２ａとの間に隙間を隔てて表面２ａ側に搭載されていてもよいし、係合部４の突起部４ａは、本体部２に形成された貫通孔２ｈおよび台紙５１に形成された貫通孔５１ｈの双方を貫通するように配置されている。係合部４の突起部４ａは、台紙５１が本体部２の表面２ａに平行な方向に動かないように台紙５１を固定可能に構成されている。また係合部４の突起部４ａは、台紙５１を本体部２の表面２ａに対して交差する方向に着脱自在に保持可能である。つまり、係合部４の突起部４ａは、台紙５１を突起部４ａの伸長方向に沿って着脱自在に保持可能に構成されている。
【００３６】
図９を参照して、台紙５１が搭載された本体部２は、短手方向ｙにおける表面２ａの一方端部領域２ａ１、２ａ４および他方端部領域２ａ３、２ａ６が対向するように本体部２を折畳み可能に構成されている。また台紙５１が搭載された本体部２は、切り込み部３ａ、３ｂを折り目として、表面２ａの一方端部領域２ａ１、２ａ４および他方端部領域２ａ３、２ａ６が対向するように本体部２が折畳み可能に構成されていてもよい。粘着式ネズミ捕り器１０を図９のようにトンネル状に形成することにより、底面だけでなく側面にも粘着部５２を有する粘着式ネズミ捕り器１０となる。そのため、ネズミが底面のみならず側面の粘着部にも接触する確率が高まる。結果として、ネズミの捕獲性能を向上することができる。
【００３７】
次に、粘着式ネズミ捕り器の使用方法について説明する。実施の形態２に係る粘着式ネズミ捕り器１０は、粘着式ネズミホルダー１と、粘着部５２を有する台紙５１（以降、粘着式ネズミ捕りとも称する）とを有している。粘着式ネズミホルダー１は、耐久性が高いので繰り返し使用することが可能である。粘着式ネズミ捕りにネズミが捕獲された場合、粘着式ネズミ捕りを粘着式ネズミホルダー１から取り外して、新しい粘着式ネズミ捕りを粘着式ネズミホルダー１に取り付ける。また粘着式ネズミ捕りが複数存在する場合、ネズミが捕獲された粘着式ネズミ捕りだけを取り換えることができるので、粘着式ネズミ捕りの交換が容易である。
【００３８】
次に、実施の形態１に係る粘着式ネズミ捕りホルダーおよび実施の形態２に係る粘着式ネズミ捕り器の作用効果について説明する。
【００３９】
実施の形態１に係る粘着式ネズミ捕りホルダー１によれば、係合部４は、台紙５１が本体部２の表面２ａに平行な方向に動かないように台紙５１を固定可能に構成されている。これにより、ネズミが台紙５１の上で台紙５１の表面に平行な方向に動いても、台紙５１が粘着式ネズミ捕りホルダー１から外れることを抑制することができる。それゆえ、ネズミの捕獲性能を向上させることができる。
【００４０】
また実施の形態１に係る粘着式ネズミ捕りホルダー１によれば、係合部４は、台紙５１を本体部２の表面２ａに対して交差する方向に着脱自在に保持可能である。これにより、粘着部５２を有する台紙を容易に交換することができる。
【００４１】
さらに実施の形態１に係る粘着式ネズミ捕りホルダー１によれば、係合部４は、本体部２の表面２ａに対して交差する方向に伸長する突起部４ａを含む。これにより、簡易な方法で、粘着部を有する台紙を容易に交換することができる。
【００４２】
さらに実施の形態１に係る粘着式ネズミ捕りホルダー１によれば、本体部２の裏面２ｂには、滑り止め部６が形成されている。これにより、本体部２が設置されている床に対して本体部２が滑ることを抑制することができる。
【００４３】
さらに実施の形態１に係る粘着式ネズミ捕りホルダー１によれば、本体部２は、表面２ａの第１の一方端部領域２ａ７および第１の他方端部領域２ａ８が対向するように本体部２を折畳み可能な折畳み部３を有する。これにより、たとえばネズミが粘着部５２の上で暴れた場合、本体部２が折り畳まれネズミを両側から挟みこむようにネズミを捕獲することができる。それゆえ、ネズミの捕獲性能を向上することができる。また、粘着式ネズミ捕りホルダーをコンパクトに収容することができるので、粘着式ネズミ捕りホルダー１を運搬、保管等する際に便利である。
【００４４】
さらに実施の形態１に係る粘着式ネズミ捕りホルダー１によれば、折畳み部３は、本体部２の裏面２ｂに形成された切り込み部３ｃ、３ｄである。これにより、切り込み部３ｃ、３ｄを折り目として、表面２ａの第１の一方端部領域２ａ７および第１の他方端部領域２ａ８が対向するように本体部２が折畳み可能である。それゆえ、簡易な方法で、本体部２を折畳み可能に構成することができる。
【００４５】
実施の形態２に係る粘着式ネズミ捕り器１０は、実施の形態１に記載の粘着式ネズミ捕りホルダー１と、台紙５１とを有する。台紙５１は、本体部２の表面２ａ側に搭載され、かつネズミを捕獲可能な粘着部５２を有する。これにより、ネズミが台紙５１の上で台紙５１の表面に平行な方向に動いても、台紙５１がホルダー１から外れることを抑制することができる。それゆえ、ネズミの捕獲性能を向上させることができる粘着式ネズミ捕り器１０を提供することができる。
【００４６】
（実施の形態３）
次に、本発明の実施の形態３に係る粘着式ネズミ捕りホルダーの構造について説明する。
【００４７】
図１０〜図１３を参照して、実施の形態３に係る粘着式ネズミ捕りホルダー１は、第１の本体部１２と、第２の本体部２２と、接続部７と、係合部４とを主に有している。第１の本体部１２および第２の本体部２２の各々の構成は、実施の形態１で説明した本体部２の構成と同様である。係合部４の構成は、実施の形態１で説明した係合部４の構成と同様である。第２の本体部２２は、第１の本体部１２に隣り合う。接続部７は、第１の本体部１２の裏面１２ｂおよび第２の本体部２２の裏面２２ｂに接し、かつ第１の本体部１２と第２の本体部２２とを繋ぐように配置されている。
【００４８】
図１０を参照して、第１の本体部１２の表面１２ａおよび第２の本体部２２の表面２２ａの各々は、第１の一方端部領域１２ａ７、２２ａ７および第１の他方端部領域１２ａ８、２２ａ８を含む。第１の本体部１２および第２の本体部２２の各々は、表面１２ａ、２２ａにおける第１の一方端部領域１２ａ７、２２ａ７および第１の他方端部領域１２ａ８、２２ａ８が対向するように第１の本体部１２および第２の本体部２２の各々が矢印の方向に折畳み可能に構成されている。
【００４９】
第１の本体部１２の表面１２ａおよび第２の本体部２２の表面２２ａの各々の４つの角部の各々には、係合部４が設けられている。係合部４は、台紙が表面１２ａ、２２ａに平行な方向に動かないように台紙を固定可能に構成されている。具体的には、係合部４は、突起部４ａと、固定部４ｂとを含む。突起部４ａは、表面１２ａ、２２ａに対して交差する方向に伸長するように形成されており、好ましくは表面１２ａ、２２ａの法線方向に沿って伸長するように形成されている。突起部４ａは、第１の本体部１２および第２の本体部２２の各々に設けられた貫通孔２ｈを貫通するように配置されている。突起部４ａは貫通孔２ｈに嵌合されて固定されている。突起部４ａは固定部４ｂにより固定されている。係合部４は、台紙を表面１２ａ、２２ａの各々に対して交差する方向に着脱自在に保持可能である。
【００５０】
図１１を参照して、第１の本体部１２の裏面１２ｂおよび第２の本体部２２の裏面２２ｂの各々は、第２の一方端部領域１２ｂ８、２２ｂ８および第２の他方端部領域１２ｂ７、２２ｂ７を含む。接続部７は、第１の本体部１２の裏面１２ｂの第２の一方端部領域１２ｂ８と、第２の本体部２２の裏面１２ｂの第２の一方端部領域２２ｂ８とに接して、第１の本体部１２および第２の本体部２２とを固定している。接続部７は、第１の本体部１２の裏面１２ｂの第２の他方端部領域１２ｂ７と、第２の本体部２２の裏面１２ｂの第２の他方端部領域２２ｂ７とに接していない。接続部７はたとえば粘着テープである。粘着テープは粘着面と非粘着面とを有しており、粘着面が裏面１２ｂ、２２ｂに接している。
【００５１】
次に、実施の形態３に係る粘着式ネズミ捕りホルダー１の折畳み方法について説明する。
【００５２】
図１２を参照して、まず、第１の本体部１２および第２の本体部２２の各々は、表面１２ａ、２２ａにおける第１の一方端部領域１２ａ７、２２ａ７および第１の他方端部領域１２ａ８、２２ａ８が対向するように図１０に示す矢印の方向に折り畳まれる。言い換えれば、第１の本体部１２および第２の本体部２２の各々が、長手方向ｘに折り畳まれる。次に、接続部７を折り目として、第１の本体部１２の裏面１２ｂの第２の一方端部領域１２ｂ８と、第２の本体部２２の裏面２２ｂの第２の一方端部領域２２ｂ８とが対向して接するように、粘着式ネズミ捕りホルダー１が図１２に示す矢印の方向に折り畳まれる（図１３参照）。つまり、粘着式ネズミ捕りホルダー１がまず長手方向に折畳みまれ（ステップ１）、次に短手方向に折り畳まれる（ステップ２）。このように２つのステップで、粘着式ネズミ捕りホルダー１は、粘着式ネズミ捕りホルダー１を展開して配置した状態（図１０参照）における面積の約４分の１の面積のサイズにまで、素早く、コンパクトに折畳み可能である。
【００５３】
（実施の形態４）
図１４および図１５を参照して、本発明の実施の形態４に係る粘着式ネズミ捕り器の構造について説明する。
【００５４】
図１４を参照して、実施の形態４に係る粘着式ネズミ捕り器１０は、実施の形態３で説明した粘着式ネズミ捕りホルダー１における第１の本体部１２の表面１２ａ側および第２の本体部２２の表面２２ａ側の各々に、粘着部５２を有する台紙５１が搭載された構成を有している。粘着部５２を有する台紙５１の構成は、実施の形態２で説明した構成と同様である。別の言い方をすれば、実施の形態４に係る粘着式ネズミ捕り器１０は、実施の形態２で説明した粘着式ネズミ捕り器が２つ隣接して配置され、第１の本体部１２の裏面１２ｂの第２の一方端部領域１２ｂ８と、第２の本体部２２の裏面１２ｂの第２の一方端部領域２２ｂ８とに接する接続部７とを有している。
【００５５】
図１５を参照して、台紙５１が搭載された第１の本体部１２および第２の本体部２２の各々は、短手方向ｙにおける表面１２ａ、２２ａの一方端部領域１２ａ１、２２ａ１、１２ａ４、２２ａ４および他方端部領域１２ａ３、２２ａ３、１２ａ６、２２ａ６が対向するように第１の本体部１２および第２の本体部２２の各々を折畳み可能に構成されている。また台紙５１が搭載された第１の本体部１２および第２の本体部２２の各々は、切り込み部３ａ、３ｂを折り目として、短手方向ｙにおける表面１２ａ、２２ａの一方端部領域１２ａ１、２２ａ１、１２ａ４、２２ａ４および他方端部領域１２ａ３、２２ａ３、１２ａ６、２２ａ６が対向するように第１の本体部１２および第２の本体部２２の各々を折畳み可能に構成されていてもよい。
【００５６】
次に、実施の形態３に係る粘着式ネズミ捕りホルダーおよび実施の形態４に係る粘着式ネズミ捕り器の作用効果について説明する。
【００５７】
実施の形態３に係る粘着式ネズミ捕りホルダー１によれば、本体部２は、第１の本体部１２と、第１の本体部１２に隣り合う第２の本体部２２とを含む。第１の本体部１２の裏面１２ｂおよび第２の本体部２２の裏面２２ｂに接し、かつ第１の本体部１２と第２の本体部２２とを繋ぐ接続部７をさらに有する。第１の本体部１２および第２の本体部２２を裏面において固定するため、表面においてネズミを捕獲する粘着部５２の面積を低減させることなく、本体部２の総面積を広げることができる。これにより、効率的に大面積の床に粘着式ネズミ捕りを設置することができる。
【００５８】
また実施の形態３に係る粘着式ネズミ捕りホルダー１によれば、第１の本体部１２の裏面１２ｂおよび第２の本体部２２の裏面２２ｂの各々は、第２の一方端部領域１２ｂ８、２２ｂ８および第２の他方端部領域１２ｂ７、２２ｂ７を含む。接続部７は、第１の本体部１２の裏面１２ｂの第２の一方端部領域１２ｂ７と、第２の本体部２２の裏面２２ｂの第２の一方端部領域２２ｂ７とに接している。実施の形態３に係る粘着式ネズミ捕りホルダー１が上記構成を有することにより、粘着式ネズミ捕りホルダー１を簡易な方法で、素早く、コンパクトに折畳み可能である。それゆえ粘着式ネズミ捕りホルダー１を、素早く、かつコンパクトに回収することができる、別の言い方をすれば、コンパクトに折り畳まれた粘着式ネズミ捕りホルダー１を用いれば、簡易な方法で、かつ素早く、粘着式ネズミ捕りを大面積の床に敷き詰めることができる。
【００５９】
さらに実施の形態３に係る粘着式ネズミ捕りホルダー１によれば、接続部７は、粘着テープを含む。これにより、簡易な方法で、大面積の床に粘着式ネズミ捕りを設置することができる粘着式ネズミ捕りホルダー１を提供することができる。
【００６０】
実施の形態４に係る粘着式ネズミ捕り器の折畳み方法は、実施の形態３に係る粘着式ネズミ捕りホルダーの折畳み方法と同様である。つまり、実施の形態４に係る粘着式ネズミ捕り器１０が上記構成を有することにより、粘着式ネズミ捕り器１０を簡易な方法で、かつ素早くコンパクトに折畳み可能である。それゆえ粘着式ネズミ捕り器１０を、素早く、かつコンパクトに回収することができる、別の言い方をすれば、コンパクトに折り畳まれた粘着式ネズミ捕り器１０を用いれば、簡易な方法で、かつ素早く、粘着式ネズミ捕りを大面積の床に敷き詰めることができる。
【００６１】
（実施の形態５）
次に、本発明の実施の形態５に係る粘着式ネズミ捕りホルダーの構造について説明する。
【００６２】
図１６および図１７を参照して、実施の形態５に係る粘着式ネズミ捕りホルダー１は、第１の本体部１２と、第２の本体部２２と、第３の本体部３２と、第４の本体部４２と、第１の接続部７ａと、第２の接続部７ｂと、第３の接続部７ｃと、係合部４とを主に有している。第１の本体部１２、第２の本体部２２、第３の本体部３２および第４の本体部４２の各々の構成は、実施の形態１で説明した本体部２の構成と同様である。係合部４の構成は、実施の形態１で説明した係合部４の構成と同様である。
【００６３】
第２の本体部２２は、第１の本体部１２と隣り合い、第３の本体部３２は、第２の本体部２２と隣り合い、第４の本体部４２は、第３の本体部３２と隣り合う。第１の接続部７ａは、第１の本体部１２の裏面１２ｂおよび第２の本体部２２の裏面２２ｂに接し、かつ第１の本体部１２と第２の本体部２２とを繋ぐ。第２の接続部７ｂは、第２の本体部２２の裏面２２ｂおよび第３の本体部３２の裏面３２ｂに接し、かつ第２の本体部２２と第３の本体部３２とを繋ぐ。第３の接続部７ｃは、第３の本体部３２の裏面３２ｂおよび第４の本体部４２の裏面４２ｂに接し、かつ第３の本体部３２と第４の本体部４２とを繋ぐ。
【００６４】
図１６を参照して、第１の本体部１２の表面１２ａ、第２の本体部２２の表面２２ａ、第３の本体部３２の表面３２ａおよび第４の本体部４２の表面４２ａの各々は、第１の一方端部領域１２ａ７、２２ａ７、３２ａ７、４２ａ７および第１の他方端部領域１２ａ８、２２ａ８、３２ａ７、４２ａ７を含む。第１の本体部１２、第２の本体部２２、第３の本体部３２および第４の本体部４２の各々は、表面１２ａ、２２ａ、３２ａ、４２ａにおける第１の一方端部領域１２ａ７、２２ａ７、３２ａ７、４２ａ７および第１の他方端部領域１２ａ８、２２ａ８、３２ａ８、４２ａ８が対向するように第１の本体部１２、第２の本体部２２、第３の本体部３２および第４の本体部４２の各々が矢印の方向に折畳み可能に構成されている。
【００６５】
第１の本体部１２の表面１２ａ、第２の本体部２２の表面２２ａ、第３の本体部３２の表面３２ａおよび第４の本体部４２の表面４２ａの各々の４つの角部の各々には、係合部４が設けられている。係合部４は、台紙が表面１２ａ、２２ａ、３２ａ、４２ａに平行な方向に動かないように台紙を固定可能に構成されている。具体的には、係合部４は、突起部４ａと、固定部４ｂとを含む。突起部４ａは、表面１２ａ、２２ａ、３２ａ、４２ａに対して交差する方向に伸長するように形成されており、好ましくは表面１２ａ、２２ａ、３２ａ、４２ａの法線方向に沿って伸長するように形成されている。突起部４ａは、第１の本体部１２、第２の本体部２２、第３の本体部３２および第４の本体部４２の各々に設けられた貫通孔２ｈを貫通するように配置されている。突起部４ａは貫通孔２ｈに嵌合されて固定されている。突起部４ａは固定部４ｂにより固定されている。係合部４は、台紙を表面１２ａ、２２ａ、３２ａ、４２ａに対して交差する方向に着脱自在に保持可能である。
【００６６】
図１７を参照して、第１の接続部７ａは、第１の本体部１２の裏面１２ｂの第２の一方端部領域１２ｂ８と、第２の本体部２２の裏面２２ｂの第２の一方端部領域２２ｂ８とに接している。第２の接続部７ｂは、第２の本体部２２の裏面２２ｂの第２の他方端部領域２２ｂ７と、第３の本体部３２の裏面３２ｂの第２の他方端部領域３２ｂ７とに接している。第３の接続部７ｃは、第３の本体部３２の裏面３２ｂの第２の一方端部領域３２ｂ８と、第４の本体部４２の裏面４２ｂの第２の一方端部領域４２ｂ８とに接している。第１の接続部７ａは、第１の本体部１２の裏面１２ｂの第２の他方端部領域１２ｂ７と、第２の本体部２２の裏面１２ｂの第２の他方端部領域２２ｂ７とに接していない。第２の接続部７ｂは、第２の本体部２２の裏面１２ｂの第２の一方端部領域２２ｂ８と、第３の本体部３２の裏面３２ｂの第２の一方端部領域３２ｂ８に接していない。第３の接続部７ｃは、第３の本体部３２の裏面３２ｂの第２の他方端部領域３２ｂ７と、第４の本体部４２の裏面４２ｂの第２の他方端部領域４２ｂ７とに接していない。第１の固定部、第２の固定部および第３の固定部の各々は、たとえば粘着テープである。粘着テープは粘着面と非粘着面とを有しており、粘着面が裏面１２ｂ、２２ｂ、３２ｂ、４２ｂに接している。
【００６７】
なお、上記では実施の形態５に係る粘着式ネズミ捕りホルダー１は、本体部２が４つの本体部１２、２２、３２、４２を有する場合について説明したが、本体部２の個数は４個に限定されず、６個、８個、１０個などであってもよい。また本体部２は、長手方向ｘに複数連結されていてもよいし、短手方向ｙに複数連結されていてもよい。
【００６８】
次に、実施の形態５に係る粘着式ネズミ捕りホルダー１の折畳み方法について説明する。
【００６９】
図１８を参照して、まず、第１の本体部１２、第２の本体部２２、第３の本体部３２および第４の本体部４２の各々は、表面１２ａ、２２ａ、３２ａ、４２ａにおける第１の一方端部領域１２ａ７、２２ａ７、３２ａ７、４２ａ７および第１の他方端部領域１２ａ８、２２ａ８、３２ａ８、４２ａ８が対向するように第１の本体部１２、第２の本体部２２、第３の本体部３２および第４の本体部４２の各々が図１６に示す矢印の方向に折畳まれる。言い換えれば、第１の本体部１２、第２の本体部２２、第３の本体部３２および第４の本体部の各々を、長手方向ｘに折り畳む。次に、図１９を参照して、第１の接続部７ａを折り目として、第１の本体部１２の裏面１２ｂの第２の一方端部領域１２ｂ８と、第２の本体部２２の裏面２２ｂの第２の一方端部領域２２ｂ８とが対向して接するように、粘着式ネズミ捕りホルダー１が折り畳まれる。また第２の接続部７ｂを折り目として、第２の本体部２２の裏面２２ｂの第２の他方端部領域２２ｂ７と、第３の本体部３２の裏面３２ｂの第２の他方端部領域３２ｂ７とが対向して接するように、粘着式ネズミ捕りホルダー１が折り畳まれる。さらに第３の接続部７ｃを折り目として、第３の本体部３２の裏面３２ｂの第２の一方端部領域３２ｂ８と、第４の本体部４２の裏面４２ｂの第２の一方端部領域４２ｂ８とが対向して接するように、粘着式ネズミ捕りホルダー１が折り畳まれる（図２０参照）。つまり、粘着式ネズミ捕りホルダー１がまず長手方向に折畳みまれ（ステップ１）、次に短手方向に折り畳まれる（ステップ２）。このように２つのステップで、粘着式ネズミ捕りホルダー１は、粘着式ネズミ捕りホルダー１を展開して配置した状態（図１６参照）における面積の約８分の１の面積のサイズにまで、素早く、コンパクトに折畳み可能である。
【００７０】
つまり、実施の形態５に係る粘着式ネズミ捕りホルダー１は、使用時において展開されて広範囲において粘着式ネズミ捕りを配置可能であり、保管、流通時においてコンパクトに折畳み可能である。第１の方向（たとえば長手方向）および第１の方向と垂直な第２の方向（たとえば短手方向）に延在する平面状の粘着式ネズミ捕りホルダー１を第１の方向に折畳み、次に第２の方向に折り畳むことにより、粘着式ネズミ捕りホルダー１を折畳み可能である。また折り畳まれた粘着式ネズミホルダー１を、第２の方向に広げ、次に第１の方向に広げることにより、粘着式ネズミホルダー１は最大面積を有する形状まで展開可能である。
【００７１】
（実施の形態６）
図２１および図２２を参照して、本発明の実施の形態６に係る粘着式ネズミ捕り器の構造について説明する。
【００７２】
図２１を参照して、実施の形態６に係る粘着式ネズミ捕り器１０は、実施の形態５で説明した粘着式ネズミ捕りホルダー１における第１の本体部１２の表面１２ａ側、第２の本体部２２の表面２２ａ側、第３の本体部３２の表面３２ａ側および第４の本体部４２の表面４２ａの表面４２ａ側の各々に、粘着部５２を有する台紙５１が搭載された構成を有している。粘着部５２を有する台紙５１の構成は、実施の形態２で説明した構成と同様である。別の言い方をすれば、実施の形態６に係る粘着式ネズミ捕り器１０は、実施の形態２で説明した粘着式ネズミ捕り器が４つ隣接して配置され、第１の本体部１２の裏面１２ｂの第２の一方端部領域１２ｂ８と、第２の本体部２２の裏面１２ｂの第２の一方端部領域２２ｂ８とに接する第１の接続部７ａと、第２の本体部２２の裏面２２ｂおよび第３の本体部３２の裏面３２ｂに接し、かつ第２の本体部２２と第３の本体部３２とを繋ぐ第２の接続部７ｂと、第３の本体部３２の裏面３２ｂおよび第４の本体部４２の裏面４２ｂに接し、かつ第３の本体部３２と第４の本体部４２とを繋ぐ第３の接続部７ｃとを有している。
【００７３】
図２２を参照して、台紙５１が搭載された第１の本体部１２、第２の本体部２２、第３の本体部３２および第４の本体部４２の各々は、短手方向ｙにおける表面１２ａ、２２ａ、３２ａ、４２ａの一方端部領域１２ａ１、２２ａ１、３２ａ１、４２ａ１、１２ａ４、２２ａ４、３２ａ４、４２ａ４および他方端部領域１２ａ３、２２ａ３、３２ａ３、４２ａ３、１２ａ６、２２ａ６、３２ａ６、４２ａ６が対向するように第１の本体部１２、第２の本体部２２、第３の本体部３２および第４の本体部４２の各々を折畳み可能に構成されている。また台紙５１が搭載された第１の本体部１２、第２の本体部２２、第３の本体部３２および第４の本体部４２の各々は、切り込み部３ａ、３ｂを折り目として、短手方向ｙにおける表面１２ａ、２２ａ、３２ａ、４２ａの一方端部領域１２ａ１、２２ａ１、３２ａ１、４２ａ１、１２ａ４、２２ａ４、３２ａ４、４２ａ４および他方端部領域１２ａ３、２２ａ３、３２ａ３、４２ａ３、１２ａ６、２２ａ６、３２ａ６、４２ａ６が対向するように第１の本体部１２、第２の本体部２２、第３の本体部３２および第４の本体部４２の各々を折畳み可能に構成されていてもよい。
【００７４】
次に、実施の形態５に係る粘着式ネズミ捕りホルダーの作用効果について説明する。
実施の形態５に係る粘着式ネズミ捕りホルダー１は、第１の本体部１２の裏面１２ｂおよび第２の本体部２２の裏面１２ｂに接し、かつ第１の本体部１２と第２の本体部２２とを繋ぐ第１の接続部７ａと、第２の本体部２２の裏面２２ｂおよび第３の本体部３２の裏面３２ｂに接し、かつ第２の本体部２２と第３の本体部３２とを繋ぐ第２の接続部７ｂと、第３の本体部３２の裏面３２ｂおよび第４の本体部４２の裏面４２ｂに接し、かつ第３の本体部３２と第４の本体部４２とを繋ぐ第３の接続部７ｃとを有する。第１の本体部１２、第２の本体部２２、第３の本体部３２および第４の本体部４２を裏面において固定するため、表面においてネズミを捕獲する粘着部の面積を低減させることなく、本体部の総面積を広げることができる。これにより、より効率的に大面積の床に粘着式ネズミ捕りを設置することができる。
【００７５】
また実施の形態５に係る粘着式ネズミ捕りホルダー１によれば、第１の接続部７ａは、第１の本体部１２の裏面１２ｂの第２の一方端部領域１２ｂ８と、第２の本体部２２の裏面１２ｂの第２の一方端部領域１２ｂ８とに接しており、第２の接続部７ｂは、第２の本体部２２の裏面２２ｂの第２の他方端部領域２２ｂ７と、第３の本体部３２の裏面３２ｂの第２の他方端部領域３２ｂ７とに接しており、第３の接続部７ｃは、第３の本体部３２の裏面３２ｂの第２の一方端部領域３２ｂ８と、第４の本体部４２の裏面４２ｂの第２の一方端部領域４２ｂ８とに接している。実施の形態５に係る粘着式ネズミ捕りホルダー１が上記構成を有することにより、粘着式ネズミ捕りホルダー１を簡易な方法で、素早く、コンパクトに折畳み可能である。それゆえ粘着式ネズミ捕りホルダー１を、素早く、かつコンパクトに回収することができる、別の言い方をすれば、コンパクトに折り畳まれた粘着式ネズミ捕りホルダー１を用いれば、簡易な方法で、かつ素早く、粘着式ネズミ捕りを大面積の床に敷き詰めることができる。
【００７６】
さらに実施の形態５に係る粘着式ネズミ捕りホルダー１によれば、第１の接続部７ａ、第２の接続部７ｂおよび第３の接続部７ｃの各々は、粘着テープを含む。これにより、簡易な方法で、大面積の床に粘着式ネズミ捕りを設置することができる粘着式ネズミ捕りホルダー１を提供することができる。
【００７７】
実施の形態６に係る粘着式ネズミ捕り器の折畳み方法は、実施の形態５に係る粘着式ネズミ捕りホルダーの折畳み方法と同様である。つまり、実施の形態６に係る粘着式ネズミ捕り器１０が上記構成を有することにより、粘着式ネズミ捕り器１０を簡易な方法で、素早く、コンパクトに折畳み可能である。それゆえ粘着式ネズミ捕り器１０を、素早く、かつコンパクトに回収することができる、別の言い方をすれば、コンパクトに折り畳まれた粘着式ネズミ捕り器１０を用いれば、簡易な方法で、かつ素早く、粘着式ネズミ捕りを大面積の床に敷き詰めることができる。
【００７８】
今回開示された実施の形態はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【符号の説明】
【００７９】
１  粘着式ネズミ捕りホルダー、２  本体部、２ａ，１２ａ，２２ａ，３２ａ，４２ａ  表面、２ａ７，１２ａ７，２２ａ７，３２ａ７，４２ａ７  第１の一方端部領域、２ａ８，１２ａ８，２２ａ８，３２ａ８，４２ａ８  第１の他方端部領域、２ｂ，１２ｂ，２２ｂ，３２ｂ，４２ｂ  裏面、２ｈ，５１ｈ  貫通孔、３ａ，３ｂ，３ｃ，３ｄ  切り込み部、４  係合部、４ａ  突起部、４ｂ  固定部、５  テープ、６  凹部、７  接続部、７ａ  第１の接続部、７ｂ  第２の接続部、７ｃ  第３の接続部、１０  粘着式ネズミ捕り器、１２  第１の本体部、２ｂ７，１２ｂ７，２２ｂ７，３２ｂ７，４２ｂ７  第２の他方端部領域、１４  ループ面、２２  第２の本体部、３２  第３の本体部、４２  第４の本体部、５１  台紙、５２  粘着部、５３  スペーサ、ｘ  長手方向、ｙ  短手方向。
【要約】
【課題】ネズミの捕獲性能を向上可能な粘着式ネズミ捕りホルダーおよび粘着式ネズミ捕りホルダーを備えた粘着式ネズミ捕り器を提供する。
【解決手段】粘着式ネズミ捕りホルダー１は、本体部２と係合部４とを備える。本体部２は、表面２ａおよび裏面２ｂを有する。係合部４は、本体部２に設けられている。本体部２の表面２ａは、ネズミを捕獲可能な粘着部を有する台紙を搭載可能に構成されている。係合部４は、台紙が本体部２の表面２ａに平行な方向に動かないように台紙を固定可能に構成されている。
【選択図】図１【図１】
0005411379.tif 000002
【図２】
0005411379.tif 000003
【図３】
0005411379.tif 000004
【図４】
0005411379.tif 000005
【図５】
0005411379.tif 000006
【図６】
0005411379.tif 000007
【図７】
0005411379.tif 000008
【図８】
0005411379.tif 000009
【図９】
0005411379.tif 000010
【図１０】
0005411379.tif 000011
【図１１】
0005411379.tif 000012
【図１２】
0005411379.tif 000013
【図１３】
0005411379.tif 000014
【図１４】
0005411379.tif 000015
【図１５】
0005411379.tif 000016
【図１６】
0005411379.tif 000017
【図１７】
0005411379.tif 000018
【図１８】
0005411379.tif 000019
【図１９】
0005411379.tif 000020
【図２０】
0005411379.tif 000021
【図２１】
0005411379.tif 000022
【図２２】
0005411379.tif 000023
【図２３】
0005411379.tif 000024
【図２４】
0005411379.tif 000025